(57)【要約】      （修正有）【課題】信仰、縁起もの、開運もの福運もの等の飾り具等として、誰でも手軽に購入して、自動車、室内での飾り置き、或いは携帯電話に、鍵ホルダーに、お財布に、かばん等々にストラップで装着して飾って手元に置き、福運をまねくとされしかも心が安らかに癒されるお守り鳥居を提供する。【解決手段】最上部が笠木１０３と島木１０４から成る二層構造であり、その中央に額束１０５（がくつか）を設けた鳥居型で朱色又は無垢木色のお守り鳥居１００において、島木１０４の正面中央部に鈴付房２００を垂下させると共に、笠木１０３か島木１０４にストラップ又はキーホルダーを連結し、或いは永久磁石３０１、又は壁掛け用の吊り具を配置した。【選択図】図１
0003216042.tif 000002
【実用新案登録請求の範囲】
【請求項１】
最上部が笠木と島木から成る二層構造であり、その中央に額束（がくつか）を設けたお守り鳥居において、前記島木の正面中央部に鈴付房を垂下させると共に、前記笠木か島木にストラップ又はキーホルダーを連結し、或いは永久磁石、叉は壁掛け用の吊り具を配置したことを特徴とするお守り鳥居。
【考案の詳細な説明】
【技術分野】
【０００１】  本考案は、お守りとして身に付けたり、身近なところに飾り置きしたり、掛け軸のように壁掛けにして飾ったりする「お守り鳥居」に関するものである。
【背景技術】
【０００２】＜お守りについて＞
お守りとは、信仰、縁起もの、開運もの、福運もの、厄除け、招福、加護などの人の願いを象った飾り具でとして日本古来から作られ手元に置き大切にされている。
「守」の語源は、「目守る」で、「目」は「眼（まなこ）」や「瞼（まぶた）」のように、「ま」と読む。つまり、「お守り」というのは「神仏が見ていてくれる」ということで、お守りを持つということは、神仏に対して「願意を叶えるために努力しますので、その姿を見届けてください」ということなのである。このためお守りを持つということは、神仏に見守ってもらうことで謙虚な気持ちで努力を続ける心を育むことなのである
そこで御守りにするものは自然界のものをそのまま御守りにするだけでなく、人の手によって作ったり作り替えたりした御守りが多い。近年では持ち運びや身に着けるときの便宜をはかる意味で、外側をビニールで覆ったり、紐の先に吸盤を付けたものも目につく。外側や内符の材質も、加工のしやすさや原価などから化学繊維やプラスチック、樹脂などが使われることも多くなってきた。【０００３】
【考案の開示】
【考案が解決しようとする課題】
【０００４】  本考案は、信仰、縁起もの、開運もの福運もの等の飾り具等として、誰でも手軽に購入して、自動車、室内に飾り置きしたり、携帯電話に、鍵ホルダーに、お財布に、かばん等々にストラップで装着して飾って手元に置き、福運をまねくとされしかも心が安らかに癒される「御守り鳥居」を提供するものである。
【課題を解決するための手段】
【０００５】  本考案は上記目的を達成する新規なお守り鳥居でありその特徴とするところは次の（１）の通りである。
（１）、最上部が笠木と島木から成る二層構造であり、その中央に神社名を示す額束（がくつか）を設けた鳥居型のお守りにおいて、前記島木の正面中央部に鈴付房を垂下させると共に、前記笠木か島木にストラップ又はキーホルダーを連結し、或いは永久磁石を配置したことを特徴とするお守り鳥居。
【考案の効果】
【０００６】  本考案のお守り鳥居は、お守りとして身に付けたり、身近なところに飾り置きしたり、壁掛けにして飾ったりする重宝はものである。
本考案のお守り鳥居において、鳥居は、神様のお住まいである神社への玄関口として、神様の領域の目印として建てられている。このため鳥居は、神様の場所への玄関口。
鳥居の先は神様の領域である。
つまり鳥居が意味するのは「結界」であり、結界というのは、「神の領域を表すもの」である。【０００７】  本考案のお守り鳥居において、鳥居は朱色又は無垢木色又は竹製色にして、魔よけ、さらに守る力を強める。
また笠木と島木の形状は、丸太切り、角切り、反り切り状に加工したものである。【０００８】  実際の鳥居は、一般に島木の下に、シデ（和紙製：楮（こうぞ）、三椏（みつまた）、雁皮（がんぴ））の紙垂）の飾りをしたシメナワ綱を張っている。
本考案のお守り鳥居は、このシメナワ綱飾りに代わり、前記鈴付房を垂下げることにより、鳥居全体を非常に装飾的な構造にして、いつも手元におき鈴を涼しげに鳴らして自分を祓い清めると共に神様へお参りしていることを何時でも知らせることが出来る。【０００９】  また神社には、拝殿の中央、ちょうど賽銭箱の真上あたりに、銅や真鍮製の大きな鈴が吊られており、この鈴に添えて麻縄や、紅白・五色の布などの紐を垂らして、参拝者はこれを振り動かして鈴を鳴らし、お参りをするが、この鈴と紐に代えて本考案のお守り鳥居は、前記鈴付房を設けることにより、その清々しい音色で自分を敬虔な気持ちにするとともに心を祓い清め、神霊の発動を願うことが期待される。【００１０】  本考案のお守り鳥居において、前記鈴付房の鈴は、本坪（ほんつぼ）又は本坪鈴（ほんつぼすず）であり、房は前記鈴をつないだ紐即ち可愛い鈴緒（すずお・すずのお）の代りとなるのである。【００１１】  このように本考案の「お守り鳥居」は、信仰、縁起もの、開運もの福運もの等の飾御守り具等として、誰でも手軽に購入して、磁石で車のダッシュボードに付けたり、鍵ホルダーにしたり、携帯電話、お財布や、かばん等々にストラップで装着して飾って手元に置き、福運をまねくとされる鳥居を常に大切にすることにより心が安らかに癒される御守りである。【００１２】  以上、本考案の「お守り鳥居」は、細やかな彫刻の鳥居に、愛らしく素敵な鈴と房飾りを中心にしたデザインのお守りであり、手軽に持ち歩いて自身の力を増幅させ、身の回りにある危険を克服して、個人あるいは動く空間の加護を願うものである。本考案の「御守り」は身に着けて持ち歩くという性質から、身に着け持ち歩くことが前提なので根付（ねつけ）のように小さなものから片手の中にすっぽり収められるまでのサイズにすることが出来る。移動する電車や自動車につける場合は少しサイズを大きくすればよい。
【図面の簡単な説明】
【００１３】
【図１】本考案の「お守り鳥居」の少し鳥瞰的に表現した正面説明図である。
【図２】図１に示す本考案の「お守り鳥居」の少し鳥瞰的に表現した背面説明図である。
【図３】図１に示す「お守り鳥居」の永久磁石の代りにキーホルダーを取り付けた正面図である。
【図４】図１に示す「お守り鳥居」の永久磁石の代りにストラップを取り付けた正面図である。
【図５】図１に示す「お守り鳥居」の無垢木の所謂白木のお守り鳥居で壁掛け用の吊り具の吊りリング３０４を取り付けた例である。
【考案を実施するための形態】
【００１４】  本考案を実施するための形態は、実施例により詳細に説明する。
【実施例】
【００１５】  本例のお守り鳥居は、鳥居１００は例えば図１〜図３に示す朱色又は図４に示す無垢木色又は竹製の二本の柱１０１，１０２とその最上部に角切り状又は丸太切り状の笠木１０３と島木１０４で二層構造にしたものである。
笠木１０３と島木１０４の中央部には、額束（がくつか）１０５を設けてある。
前記島木１０４の正面中央部に鈴付房を垂下させる。
鈴付房は上部に一対の鈴２０１、２０２を設けこの鈴間の結び紐２０３に多数本のリリアン、カラー水引、カラー布紐等の飾り紐を垂下させた房２０４を連結してある。【００１６】  この房２０４を触って鈴２０１、２０２を鳴らし前記の作用効果即ち鈴の清々しい音色で自分を敬虔な気持ちにするとともに心を祓い清め、神霊の発動を願うことができる。【００１７】  図２は、図１に示すお守り鳥居において、前記笠木１０３と島１０４の背面中央部に永久磁石３０１を配置した状態の背面図である。
これは、本例のお守り鳥居を自動車、事務所、家屋等の内装にある適宜な磁性体に磁着させて飾り置くか壁掛けとして飾ることが出来る。【００１８】  図３は、図１に示すお守り鳥居において、笠木１０３（又は島木１０４）の中央部にキーホルダー３０２を連結した例である。
これは、本例のお守り鳥居をキーホルダーの飾りとして常備する車、マイホーム、事務所などの鍵を保持する。【００１９】  図４は、図１に示すお守り鳥居において、笠木１０３（又は島木１０４）の中央部の上面にストラップ３０３を連結した例である。
これは、本例のお守り鳥居を携帯電話に、お財布や、かばん等々にストラップ装着して飾って手元に置いて大切にすることにより常に心が安らかに癒されるものである。【００２０】  図５は、図１に示す「お守り鳥居」の少しサイズを大きくした無垢木の所謂白木製或いは竹製のお守り鳥居で壁掛け用の吊り具の吊りリング３０４を取り付けた壁掛け御守り例である。勿論壁掛け以外のお守りに適用できる。
図１〜図４に示す例の「お守り鳥居」でも壁掛け御守りにすることは自由である。【００２０】  また、前記各例の「お守り鳥居」において、二本の柱に、或いは笠木、島木、更には額束等の御守り、厄除け、ご加護を、開運、福運、家内安全、交通安全、合格、福運、開運、健康、笑顔、幸福、元気、感謝、必勝、長寿、絆、金運、交通安全、家内安全、安産、商売繁盛、無災害などの祈願のお札、又は富士山、御嶽山、宮島、成田山、幾津島等の札等を貼ることも自由である。【００２１】  本考案のお守り鳥居は、前記のように、優れた作用効果があり、神社参拝者はもとより神社信仰業界に貢献すること多大なものがある。
【符号の説明】
【００２２】  １００：鳥居
１０１，１０２：柱
１０３：笠木
１０４：島木
１０５：額束（がくつか）
２００：鈴付房
２０１、２０２：鈴
２０３：紐
２０４：房
３０１：永久磁石
３０２：キーホルダー
３０３：ストラップ
３０４：壁掛け用の吊り具である吊りリング
【図１】
0003216042.tif 000003
【図２】
0003216042.tif 000004
【図３】
0003216042.tif 000005
【図４】
0003216042.tif 000006
【図５】
0003216042.tif 000007